(57)【要約】【課題】多室形空気調和機において自動モードでの停電、復電によるオートリスタート動作において運転再開時の快適空調を提供する事を目的とする。【解決手段】電源が遮断されるまでの室内機の運転情報と室外機の運転情報を記憶する記憶手段を設け、電源復帰時に前期記憶手段の内容を読み出し、読み出し結果が自動モードかマニュアルモードかの判別しマニュアルモードならば電源が遮断されるまでの運転状況と同じ状態で運転が再開されるようにし、自動モードであれば電源復帰時の空調負荷による運転モードで運転を再開させる。【選択図】  図１
2004324898.tif 000002
【特許請求の範囲】
【請求項１】
電源が停電から復電した際に記憶装置に記憶された内容に基づいて自動的に運転を再開するオートリスタート機能を有する多室形空気調和機において、電源が遮断されるまでの室内機および室外機の運転情報を記憶する記憶手段を設け、電源復帰時に前記記憶手段の内容を読み出し、前記記憶手段に記憶された室内機の設定運転モードが自動モードかマニュアルモードかの判別を行い、判別の結果、設定された運転モードがマニュアルモードであれば、電源が遮断されるまでと同じ冷凍サイクルモードで運転が再開されるようにし、自動運転モードであれば電源復帰時の空調負荷により決定される冷凍サイクルモードにて運転を再開させる制御手段を設けたことを特徴とする多室形空気調和機。
【発明の詳細な説明】
【０００１】
【発明の属する技術分野】
本発明は停電から復電後に記憶装置に記憶された内容に基づいて自動的に運転を再開するオートリスタート機能を有する多室形空気調和機に関する。
【０００２】
【従来の技術】
従来この種の技術は、設定された運転モードが自動運転モード、マニュアル運転モードに関わらず復電時に記憶装置より読み出した室内機運転モードと室外機運転モードが異なる場合には、通信手段による室外機への運転モード指示の送信を一定時間遅らせることで、電源が遮断されるまでの運転状況と同じ状態で運転が再開される技術を提供している（例えば、特許文献１参照）。
【０００３】
【特許文献１】
特願２０００−０５５２８７号
【０００４】
【発明が解決しようとする課題】
しかしながら上記従来の構成では、自動運転モードの運転中に停電し、復電後はしても復電時の空調負荷に応じて判断された冷凍サイクルモードでなく、停電前の冷凍サイクルモードに固定されるため、特に停電時間が長く復電時の空調負荷条件が停電時の負荷条件と異なっていた場合、使用者に著しい不快感を与えていた。本発明は上記課題に鑑みてなされたもので、設定運転モードが自動運転時のオートリスタート制御において使用者に快適な空調を提供することを目的とする。
【０００５】
【課題を解決するための手段】
本発明は上記の目的を達成するために、電源が停電から復電した際に記憶装置に記憶された内容に基づいて自動的に運転を再開するオートリスタート機能を有する多室形空気調和機において、電源が遮断されるまでの室内機および室外機の運転情報を記憶する記憶手段を設け、電源復帰時に前記記憶手段の内容を読み出し、前記記憶手段に記憶された室内機の設定運転モードが自動モードかマニュアルモードかの判別を行い、判別の結果、設定された運転モードがマニュアルモードであれば、電源が遮断されるまでと同じ冷凍サイクルモードで運転が再開されるようにし、自動運転モードであれば電源復帰時の空調負荷により決定される冷凍サイクルモードにて運転を再開させる制御手段を設けたもので、この構成をなすことにより、停電があっても使用者に快適な空調を提供することが出来る。
【０００６】
【発明の実施の形態】
以下に、本発明の実施の形態について図面を参照しながら説明する。
【０００７】
（実施の形態１）
図１は、実施の形態１における多室型空気調和機のブロック図である。室内機Ａ・Ｂと室外機Ｃが接続線４ａ・４ｂにより電気的に接続されている。室内機Ａには、制御手段１ａ、通信手段２ａおよび記憶手段３ａが、室内機Ｂには、制御手段１ｂ、通信手段２ｂおよび記憶手段３ｂが、また、室外機Ｃには制御手段１ｃおよび通信手段２ｃが設けられている。そして室内機Ａの通信手段２ａと室外機Ｃの通信手段１ｃは接続線４ａで、室内機Ｂの通信手段２ｂと室外機Ｃの通信手段１ｃは接続線４ｂで夫々接続されている。
【０００８】
また、５ａは室内機Ａの運転停止や室温設定等の運転操作に用いるワイヤレス方式のリモコン、５ｂは室内機Ｂの運転停止や室温設定等の運転操作に用いるワイヤレス方式のリモコンである。そして、操作性の高い空調を行うための自動運転制御と、オートリスタート制御を備えている。前記自動運転制御は、リモコン５ａ、５ｂに設けられた運転釦（図示せず）をＯＮにした時、居室の室温（室内機Ａ、Ｂの空気吸込温度）が前記リモコン５ａ、５ｂで設定された室温設定温度よりも高ければ冷房モードが、逆に前記リモコン５ａ、５ｂで設定された室温設定温度よりも低ければ、暖房モードが自動的に選択されて運転が開始されるようになっている。
【０００９】
また、前記オートリスタート制御は、常に現在の運転状況を不揮発性の記憶装置（例えばＥＥＰＲＯＭ等）に記憶させておき、停電発生時等の復電時には、前記記憶装置に記憶された運転内容に基づいて自動的に運転を再開するようになっている。そして、前記自動運転と前記オートリスタート制御は前記室内機Ａ、Ｂや前記室外機Ｃに設けられたマイコンとプログラムソフトにより実現されている。
【００１０】
次に本実施形態の全体動作について、図１、図２を用いて説明する。停電前の運転状態としては室内機Ａが自動運転の冷房モード、室内機Ｂがマニュアル運転の冷房モード、室外機Ｃは冷房モードで運転を行っている場合について説明する。
ここで、室内機Ａの居室の室温が低下すると、自動運転のモード判定により暖房モードに運転モードが変化し、室内機Ａは室外機Ｃの運転モードと異なっているので、実際の運転は送風停止の待機状態となっている。この時、記憶手段３ａには室内情報として自動運転、暖房モードの情報と室外情報として冷房モードの情報が記憶されている。また記憶手段３ｂには室内情報としてマニュアル運転、冷房モードの情報と室外情報として冷房モードの情報が記憶されている。
【００１１】
次に、復電した時のオートリスタート動作を図２を用いて説明する。室内機Ａの記憶手段３ａに記憶された室内運転情報を読み出し自動モードかマニュアルモードかの判定を行う（ステップ１〜ステップ２）。このときの読み出し結果は、この例では自動モードなのでモード判定を実施し（ステップ３）直ちにモード判定結果の暖房モードを室外機Ｃに送信する（ステップ４）。
【００１２】
同様に、室内機Ｂの動作としては記憶手段３ｂに記憶された室内運転情報を読み出し自動モードか、マニュアルモードかの判定を行う（ステップ１〜ステップ２）。このときの読み出し結果は、この例ではマニュアルモードなので室内運転モードである冷房モードと、室外運転モードである冷房モードを読み出し運転モードを比較し（ステップ２〜ステップ５）、同モードなので室内機Ｂの運転モードである冷房モードを室外機に送信する（ステップ４）。
【００１３】
ステップ５、ステップ６において室内機の運転モードと室外機の運転モードが異モードの時は、一定時間経過後に室内機の運転モードを室外機に送信することで、異モード室内機の運転モード送信の優先順位を下げる。このようにして、停電時の冷凍サイクルモードと同じ運転モードで復電時に運転を再開させるようにしている。
【００１４】
室外機Ｃと室内機Ａ、室内機Ｂの各通信手段１ｃ、２ａ、２ｂの送受信は、室内機Ａ、室内機Ｂの順序で、交互に実行されるようになっているため、室内機Ａの運転モードが先に室外機に採用され室外機Ｃは暖房モードとなる、室内機Ｂは冷房モードのため異モード状態となり送風停止の運転待機状態となる。この時、空調負荷としては室温低の状態なので暖房運転が選択されたことでより快適空調が実現されることになる。
【００１５】
【発明の効果】
以上のように、本実施例によれば、室外機の運転モードが室内機からの運転モードの送信データを先着優先としているため、室内機Ａと室内機Ｂの室外機Ｃに対する通信接続が逆の場合は空気調和機としては冷房運転となり快適性に効を奏さないが、あらかじめ送信データの先着優先室を知った上で利用すれば著しく快適性の向上がはかれるものである。また室外機の運転モード決定が先着優先でない構成であるものにおいては、特に前述した手間をかけずとも快適性の向上に多大な効果を奏する。
【図面の簡単な説明】
【図１】本発明の多室形空気調和機における実施の形態を示すブロック図
【図２】同制御内容を示すフローチャート
【符号の説明】
Ａ、Ｂ  室内機
Ｃ  室外機
１ａ〜１ｃ  制御手段
２ａ〜２ｃ  通信手段
３ａ、３ｂ  記憶手段
４ａ、４ｂ  接続線
５ａ、５ｂ  リモコン
【図１】
2004324898.tif 000003
【図２】
2004324898.tif 000004